(57)【要約】【課題】  画像読取記録装置において、ファクシミリやコピー機としての使用時に、違ったモードでの使用を防止する。【解決手段】  原稿を検出等すれば、その時点での機能モードを音声ガイダンスし、ユーザに報知する。ユーザはこれを聞いて正しいモードであるかを知ることができるので、間違った処理を行わさせることが無くなり、入力が受け付けられず、再度の入力が必要となることもない。【選択図】    図２
2006020113.tif 000002
【特許請求の範囲】
【請求項１】
少なくともファクシミリ機能とコピー機能とを備えた画像読取記録装置において、
原稿を検出するための手段と、該検出時の装置の機能モードを音声により報知するための報知手段とを設けたことを特徴とする、画像読取記録装置。
【請求項２】
少なくともファクシミリ機能とコピー機能とを備えた画像読取記録装置において、
ＦＢＳカバーのオープンを検出するための手段と、該検出時の装置の機能モードを音声により報知するための報知手段とを設けたことを特徴とする、画像読取記録装置。
【請求項３】
前記装置が省エネモード時に、原稿を検出、あるいはＦＢＳカバーのオープンを検出すると、省エネモードを解除し待機モードにすると共に、待機モードであることおよび前記機能モードとを前記報知手段で報知するようにしたことを特徴とする、請求項１または２の画像読取記録装置。
【発明の詳細な説明】
【技術分野】
【０００１】
この発明は、ファクシミリ機能やコピー機能などの各種機能を備えた画像読取記録装置に関する。
【背景技術】
【０００２】
画像処理装置等の使用時に、設定状態を表示してユーザに認識させたり（特許文献１）、ユーザの入力した設定項目を確認させるために処理のスタートキーを押下させ、その間に設定内容を知らせたり（特許文献２）、コピー条件が初期値から変更されているとアラームでユーザに知らせたりして（特許文献３）、ユーザの所望しない処理を防止することは知られている。
【０００３】
しかしながら例えばコピーモードであるにもかかわらず、ファクシミリ送信をしようとして送信先のファクシミリ番号を入力すると、入力された数字はコピー枚数であると認識して、３桁以上の数字の入力は拒否されることがある。そのような場合ユーザはモード切替を行い、再度ファクシミリ番号を入力し直す必要があり、手間がかかるなどの問題がある。またこのような場合、従来の技術では、ユーザの使い勝手については検討されていない。
【特許文献１】特開２００４−７００８１
【特許文献２】特開２００４−６６５０４
【特許文献３】特開２００３−２８０４６３
【発明の開示】
【発明が解決しようとする課題】
【０００４】
この発明の課題は、画像読取記録装置をユーザが使用する際に、所望の機能モードとは異なるモードである場合に、これに気づかず処理を開始させることがないようにし、無駄な処理が行われることを防止することにある。さらにこの発明では、ファクシミリ番号等の再入力などの手間を省き、ユーザにとって使い勝手のよい画像読取記録装置を提供することにある（請求項１〜３）。
【課題を解決するための手段】
【０００５】
この発明の画像読取記録装置は、少なくともファクシミリ機能とコピー機能とを備えた画像読取記録装置であって、原稿を検出するための手段と、該検出時の装置の機能モードを音声により報知するための報知手段とを設けたことを特徴とする（請求項１）。この発明において、機能モードには例えばファクシミリモード、コピーモード、スキャンモード、プリンタモードがある。また好ましくは原稿の検出では、ＡＤＦ（オートマチックドキュメントフィーディング）やＦＢＳ（フラットベッドスキャニング）に載置された原稿を検出する。
【０００６】
またこの発明の画像読取記録装置は、少なくともファクシミリ機能とコピー機能とを備えた画像読取記録装置において、ＦＢＳカバーのオープンを検出するための手段と、該検出時の装置の機能モードを音声により報知するための報知手段とを設けたことを特徴とする（請求項２）。
【０００７】
好ましくは、前記装置が省エネモード時に、原稿を検出、あるいはＦＢＳカバーのオープンを検出すると、省エネモードを解除し待機モードにすると共に、待機モードであることおよび前記機能モードとを前記報知手段で報知するようにしたことを特徴とする（請求項３）。
【発明の効果】
【０００８】
この発明の画像読取記録装置では、
１．ユーザによって載置された原稿を検出すると、その時点でのモードがユーザに報知されるので、間違った処理を行うことを防止することができる。
２．また例えばコピーモードである時に、ファクシミリ番号を入力すると、３桁以上の数字の入力は受け付けられないなどの事態を防ぐことができ、ユーザにとって再入力等の無駄な操作を行う必要がなくなる。
３．ユーザに対して音声による報知を行うので、違ったモードであればそれに気づき易い。
４．ユーザはファクシミリ機能かコピー機能を使用することが多く、特にこの両モードを取り違えて処理することがことがなくなる。
５．ユーザは装置に原稿を載置する、あるいはＦＢＳカバーをオープンするだけで、その時点での機能モードを知ることができ、設定入力等を円滑にかつ正しく行うことができる（請求項１，２）。
【０００９】
６．請求項３の発明では、省エネモード時に原稿を載置する、またはＦＢＳカバーをオープンすると、省エネモードを解除し、待機モードであることとその時点での機能モードとをユーザに報知するので、ユーザは円滑に処理を行わせることができる、
という効果を有する。
【発明を実施するための最良の形態】
【００１０】
以下に本発明を実施するための最適実施例を示す。
【実施例】
【００１１】
図１、図２に、実施例を示す。実施例では画像読取記録装置である複合機２について説明する。図１に、複合機２の構成を示す。４は主制御としてのＣＰＵで、６は網制御装置（ＮＣＵ）で、公衆電話回線網に対して呼を確立し、８は公衆電話回線を介して画データ等を送受信するためのモデムである。また複合機２はＬＡＮインターフェース１０で、ＬＡＮ１２を介しパーソナルコンピュータ１４等に接続されている。１６はプログラム等を記憶するためのＲＯＭ、１８は画データ等を記憶するためのＲＡＭである。
【００１２】
２０はコピー機能処理部で、原稿を読み取って画データに変換するためのスキャナと画データをハードコピーするためのプリンタとを用いてコピーを行う。２２はＧ３ファクシミリ機能処理部で、公衆回線網を介して従来のＧ３やＧ４のファクシミリの送受信を行う。また２４はスキャナ機能処理部で、スキャナで画像を読み取りパーソナルコンピュータなどに画像データを送信するなどの処理を行う。２６はプリンタ機能処理部で、プリンタにネットワークプリンタ機能を持たせて、パーソナルコンピュータ１４などからの依頼に応じてネットワークプリンタとしてのプリント等を行う。
【００１３】
２８はＬＣＤなどの表示パネル、３０は操作部で、ＬＣＤ表示パネルのタッチパネルやキーボード等を用い、モードの切り替えを行ったり、ファクシミリ番号やコピー時の枚数、画質等の設定条件の入力等を行う。３２は音声制御部で、３４はＡＤＦやＦＢＳに載置された原稿を検出する原稿検出部、３５はＦＢＳカバーオープン検出部で、モード検知部３６で、原稿の検出時やＦＢＳカバーオープン検出時の複合機２の機能モードを検知する。検知したモードは音声制御部３２でスピーカ３８を介しユーザに報知する。
【００１４】
図２を用い、実施例での複合機２の動作を説明する。ユーザがＡＤＦによりコピーまたはファックス機能を使用するつもりで原稿を載置した場合（ステップＳ１）、あるいはプラテンガラス上に原稿を載置するためにＦＢＳカバーを開けた場合（ステップＳ２）、これを検出する。そのとき複合機が省エネモードであればこれを解除し（ステップＳ３，Ｓ４）、「待機モードです」との音声を出力し、省エネ状態が解除されており処理可能であることをユーザに報知する（ステップＳ５）。なお実施例ではＦＢＳでの使用の場合、そのカバーをオープンすれば待機モードに移行するが、カバーをオープンしプラテンガラス上に原稿が載置されたことを検出した際に、待機モードにすることとしても良い。
【００１５】
なお原稿の載置やＦＢＳカバーのオープンを検出しないときでも、ユーザが省エネモードを解除する操作を行うと、省エネモードを解除し、待機モードであることをユーザに報知する（ステップＳ６、Ｓ４，Ｓ５）。また省エネモード時に、ユーザが例えばＬＣＤ等のタッチパネルにふれるなどしたときにも、省エネモードを解除し、待機モードであることを報知することとしても良い。さらに省エネモード時には、例えば所定時間毎に省エネモードであることを報知することとしてもよい（ステップＳ７）。
【００１６】
次に複合機の現在の機能モードを、ユーザに報知する。ＦＡＸモードであれば「ＦＡＸモードです」との音声ガイダンスを出力し（ステップＳ８，Ｓ９）、コピーモードであれば「コピーモードです」との音声ガイダンスを出力する（ステップＳ１０，Ｓ１１）。次にスキャンモードであれば、「スキャンモードです」（ステップＳ１２，Ｓ１３）との音声ガイダンスを出力する。
【００１７】
上記のいずれのモードでもなければ、「プリンタモードです」との音声を出力する（ステップＳ１４）。しかし例えば受信ＦＡＸ文書等のプリント処理中やプリントするジョブがたまっている場合には、「プリント中です、コピーが遅れます」との音声ガイダンスを出力し、ユーザに報知する（ステップＳ１５．Ｓ１６）。実施例でコピーが遅れることを報知するのは、ユーザが複合機の側で処理の終了を待つのはコピーの場合がほとんどであることに対応させるためである。例えばファクシミリで原稿を送信する時には、ユーザは送信条件を入力し原稿を読み取らせて立ち去っても良く、送信ジョブが複数あっても送信処理は複合機が順次行うため、ユーザは送信処理が終了するのを待つ必要はない。
次にユーザがモード切替を行えば（ステップＳ１７）、ステップＳ８に戻り、そのときの機能モードを出力する。
【００１８】
このようにユーザは複合機の機能モードや状態を音声によって報知されるので、所望のモードであるかどうかを知ることができ、所望のモードであればその処理を行い、モードが異なればモード切替を行うことができる。またプリント中やプリント待機中であればそれが報知されるので、コピーが遅れることをユーザは知ることができる。そしてＦＡＸ文書の出力等が終了した後にコピー処理が行われることがあらかじめ分っているので、他人のプリントされた用紙であることを確認せずに自分のものとして持ち出すことがなくなる。なおここでプリントするジョブの出力が終了し、指示されたコピー処理を行うときに、これからコピー処理を行います、等の音声ガイダンスを行っても良い。
【００１９】
実施例では、例えばＦＡＸモードがガイダンスされた時に、これがユーザの所望のモードであれば相手先のファクシミリ番号や送信画像の読み取り条件等を入力し、ＦＡＸスタートボタンを押せばよい。コピーをしたい時にＦＡＸの音声ガイダンスがあれば、枚数等の入力前にモードの違いに気づき、機能モードの切り替えボタンでＦＡＸモードへの切替を行い、コピー枚数や拡大、縮小の指定等を行い、コピーを開始すればよい。
【００２０】
また最初からコピーモードにあり、コピーを所望するのであれば処理を開始させるが、ＦＡＸをしたければ、コピーモードであるとの音声でモードの違いに気づき、モード切替を行うことができる。
【００２１】
またスキャンモードであるのにＦＡＸやコピーモードであると思い、スキャンモードで原稿を読み取ってしまい、読み取った画データをパーソナルコンピュータに送信してしまうこと等もない。またプリンタモードであるにもかかわらず、例えばファクシミリ番号を入力して無駄になるということもなくなる。
【００２２】
このように実施例によれば、複合機のそのときの機能モード等をユーザに報知するので、ユーザはその時点での複合機の機能モードや状態がすぐに分かり、無駄な操作をしたり、間違った処理を行わせることがなくなる。
【図面の簡単な説明】
【００２３】
【図１】実施例の複合機の構成を示す図
【図２】実施例のモード通知を行う処理の流れを示すフローチャート
【符号の説明】
【００２４】
２            複合機
４            ＣＰＵ
６            網制御装置（ＮＣＵ）
８            モデム
１０          ＬＡＮインターフェース
１２          ＬＡＮ
１４          パーソナルコンピュータ
１６          ＲＯＭ
１８          ＲＡＭ
２０          コピー機能処理部
２２          Ｇ３ファクシミリ機能処理部
２４          スキャナ機能処理部
２６          プリンタ機能処理部
２８          表示パネル
３０          操作／入力部
３２          音声制御部
３４          原稿検出部
３５          ＦＢＳカバーオープン検出部
３６          モード検知部
３８          スピーカ
【図１】
2006020113.tif 000003
【図２】
2006020113.tif 000004